(57)【特許請求の範囲】
【請求項１】
無線通信ロジックを収納し、情報処理装置のカードスロットに装着可能なカード基体と、
前記カード基体の表面の少なくとも一部を構成し、前記カード基体に収納される第１の位置と、前記カード基体から突出する第２の位置との間で移動可能に取り付けられ、前記カード基体の両面にそれぞれ設けられた凹部に収納するために断面コ字状に形成されたアンテナ部と
を有することを特徴とする無線通信カード。
【請求項２】
請求項１記載の無線通信カードであって、
前記カード基体は、前記アンテナ部を含めて、所定の規格で定められた厚さと略一致する厚さを有していること
を特徴とする無線通信カード。
【請求項３】
請求項１又は２に記載の無線通信カードであって、
前記アンテナ部は、電子部品を収納可能な肉厚部を有していること
を特徴とする無線通信カード。
【請求項４】
請求項１乃至３のいずれか１項に記載の無線通信カードであって、
前記アンテナ部は、前記第１の位置と前記第２の位置との間を移動させるための操作部を有していること
を特徴とする無線通信カード。
【請求項５】
請求項１乃至４のいずれか１項に記載の無線通信カードであって、
前記カード基体は、前記アンテナ部を前記第１の位置から前記第２の位置に移動させる力を生じさせる弾性部材を有していること
を特徴とする無線通信カード。
【発明の詳細な説明】
【０００１】
【発明の属する技術分野】
本発明は、各種情報処理装置（パーソナルコンピュータ、携帯情報端末等）のカードスロットに装着して無線通信を行うための無線通信カードに関する。
【０００２】
【従来の技術】
従来、外部モジュールや拡張部を設けることなく携帯電話や無線ＬＡＮ（Ｌｏｃａｌ  Ａｒｅａ  Ｎｅｔｗｏｒｋ）などの無線通信を行うことができる無線通信カードが知られている（特開平８−２７９０２７号公報参照）。以下、この無線通信カードを従来例として説明する。
【０００３】
上記無線通信カードは、外部モジュールや拡張部を設けることなく、携帯電話や無線ＬＡＮなどの無線通信を実現することを目的としている。なお、ＰＣカードは、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）の規格に基づいて作製されている。
【０００４】
図１７は従来の無線通信カードの説明図である。図１７に示すように、携帯型のパーソナルコンピュータ５１は、液晶表示部５２とＰＣカードスロット５３とを有している。ＰＣカードスロット５３には、無線通信用のＰＣカード５４が装着できるようになっている。ＰＣカード５４のカード基体には、アンテナ収納部５５が設けられている。アンテナ収納部５５には、無線通信用送受信アンテナ５６が回動自在に取り付けられている。無線通信用送受信アンテナ５６は、アンテナ収納部５５に収納される第１位置と、カード基体から突出する第２位置との間で移動自在になっている。
【０００５】
このため、無線通信を行わないときには、無線通信用送受信アンテナ５６をアンテナ収納部５５に収納することによってカード基体内に納めることができる。無線通信を行うときには、無線通信用送受信アンテナ５６をアンテナ収納部５５から引き出して、カード基体から外部に取り出すことができるようになっている。また、従来例公報には以下のような複数の構成例が記載されている。
【０００６】
（１）無線通信用ＰＣカードには、カード基体のカード挿入端に対向する他端側に、凹状の溝からなるアンテナ収納部が設けられている。アンテナ収納部内には、無線通信用送受信アンテナが収納される（従来例公報の図１参照）。
【０００７】
（２）無線通信用ＰＣカードは、カード挿入端に対向する他端側表面からカード基体内に通じる中空部からなるアンテナ収納部を有している（従来例公報の図２参照）。
【０００８】
（３）無線通信用ＰＣカードは、カード基体の上面に設けられた凹状の溝からなるアンテナ収納部を有している（従来例公報の図３参照）。
【０００９】
（４）無線通信用ＰＣカードは、カード基体の上面に設けられた平面アンテナ部を有している（従来例公報の図４参照）。
【００１０】
（５）平面アンテナ部は、カード基体のカード挿入端に対向する他端側に、ヒンジ部を介して取り付けられている。平面アンテナ部は、カード基体と重なる閉塞位置と、カード基体から突出する解放位置との間を自由に回動できるようになっている（従来例公報の図７参照）。
【００１１】
（６）無線通信用ＰＣカードのカード基体の厚さは、タイプＩ又はタイプＩＩのＰＣカードの厚さ（３．３ｍｍ、又は５ｍｍ）に設定されている。平面アンテナ部の厚さは、カード基体上に重ねたとき（従来例公報の図７Ｃ参照）の合計の厚さがタイプＩＩ又はタイプＩＩＩのＰＣカードの厚さ（５ｍｍ、又は１０ｍｍ）になるように設定されている。
【００１２】
【発明が解決しようとする課題】
しかしながら、従来例の無線通信カードは、以下のような問題を有している。
（１）凹状の溝や中空部からなるアンテナ収納部がカード基体内に設けられると、カード基体内の空間がアンテナ収納部の分だけ狭くなってしまう。このため、カード基体内における基板や部品、配線パターン等の配置が限定されてしまう（従来例公報の図１乃至図３参照）。
【００１３】
（２）カード基体の上面に設けられた平面アンテナ部がカード基体とともにＰＣカードスロット内に挿入されると、電波の受信感度が低下してしまう（従来例公報の図４参照）。
【００１４】
（３）上記（６）に記載したタイプＩＩのＰＣカードを用いる場合、平面アンテナ部をカード基体に重ねたときにインターフェースコネクタが中心に配置できない。このため、このような構成の無線通信カードの実現は困難である（従来例公報の図７（Ｃ）参照）。
【００１５】
本発明は、このような従来の問題点を解決し、カード基体の表面にアンテナ部を設けても既存のカードスロットへの装着が可能な無線通信カードを提供することを目的とする。
【００１６】
【課題を解決するための手段】
上記目的は、無線通信ロジックを収納し、情報処理装置のカードスロットに装着可能なカード基体と、前記カード基体の表面の少なくとも一部を構成し、前記カード基体に収納される第１の位置と、前記カード基体から突出する第２の位置との間で移動可能に取り付けられたアンテナ部とを有することを特徴とする無線通信カードによって達成される。
【００１７】
上記本発明の無線通信カードであって、前記カード基体は、前記アンテナ部を含めて、所定の規格で定められた厚さと略一致する厚さを有していることを特徴とする。上記本発明の無線通信カードであって、前記アンテナ部は、電子部品を収納可能な肉厚部を有していることを特徴とする。
【００１８】
上記本発明の無線通信カードであって、前記アンテナ部は、前記第１の位置と前記第２の位置との間を移動させるための操作部を有していることを特徴とする。上記本発明の無線通信カードであって、前記カード基体は、前記アンテナ部を前記第１の位置から前記第２の位置に移動させる力を生じさせる弾性部材を有していることを特徴とする。
【００１９】
上記のように構成することにより、無線通信カードが情報処理装置のカードスロットに挿入された状態でも、アンテナ部をカード基体からスライドさせ、カードスロットの外へ引き出して使用することができる。また、アンテナ部をカードスロットの外へ移動させることが容易であり、余計な手間がかからない。
【００２０】
【発明の実施の形態】
本発明の一実施の形態による無線通信カードについて図１乃至図１６を用いて説明する。
１．無線通信カードの概要
本実施の形態による無線通信カードは、各種情報処理装置（例えば、パーソナルコンピュータや携帯情報端末）のカードスロットに装着して無線通信を行う無線ＬＡＮカードや、ブルートゥース（Ｂｌｕｅｔｏｏｔｈ；エリクソン社の登録商標）カード等の無線通信用のカードに適用される。
【００２１】
無線通信用のカードには、ＰＣＭＣＩＡの規格に基づくＰＣカードや、ＣＦＡ（Ｃｏｍｐａｃｔ  Ｆｌａｓｈ  Ａｓｓｏｃｉａｔｉｏｎ）が推奨する規格のＣＦ（Ｃｏｍｐａｃｔ  Ｆｌａｓｈ；サンディスク社の登録商標）カード等がある。ＰＣＭＣＩＡは、ＰＣカードの標準化のために１９８９年６月に設立された米国の任意団体であり、１９９７年に「ＰＣ  Ｃａｒｄ  Ｓｔａｎｄａｒｄ'９７」を発表している。このほかＰＣＭＣＩＡは、データ・バスの幅を１６ビットから３２ビットに拡張し、ＰＣＩバスと同等のデータ転送速度を実現するカードバス「ＣａｒｄＢｕｓ」を制定したり、ＰＣカード内に記録される設定情報であるＣＩＳ（Ｃａｒｄ  Ｉｎｆｏｒｍａｔｉｏｎ  Ｓｔｒｕｃｔｕｒｅ）を標準化し、ＰＣカードの互換性を確保したりする活動も行っている。
【００２２】
ＰＣカードの物理的仕様（外観形状）は、８５．６（ｍｍ）×５４（ｍｍ）のカード型であり、厚さの相違によりタイプＩ、タイプＩＩ及びタイプＩＩＩに区分されている。ＰＣカードは、情報処理装置のカードスロットに抜き差し可能なように、いずれのタイプでも３．３ｍｍの厚さを有する肉薄部を周辺部に有している。またＰＣカードは、肉薄部の厚さ（３．３ｍｍ）以上の厚さを有する肉厚部を中央部に有している。ＰＣカードの肉厚部の厚さは、タイプＩが３．３ｍｍ、タイプＩＩが５ｍｍ、タイプＩＩＩが１０ｍｍと規定されている。
【００２３】
また、ＣＦカードは、外形寸法が３６．４（ｍｍ）×４２．８（ｍｍ）のカード型であり、ＰＣカードと同様に厚さの相違によりタイプＩ及びタイプＩＩに区分されている。ＣＦカードの厚さは、タイプＩが３．３ｍｍで、タイプＩＩが５ｍｍと規定されている。
【００２４】
ブルートゥースは無線通信方式の一つであり、比較的狭いエリアで使用することを目的としている。ブルートゥースは、低コストで高速な無線通信規格の標準になりつつある。搬送周波数には、免許が不要な２．４ＧＨｚ帯のＩＳＭ帯（Ｉｎｄｕｓｔｒｉａｌ  Ｓｃｉｅｎｔｉｆｉｃ  ａｎｄ  Ｍｅｄｉｃａｌ  Ｂａｎｄ）が用いられている。通信距離は最大で１０〜１００ｍ程度である。
【００２５】
本実施の形態では、無線通信カードとして使用するＰＣカードやＣＦカードのタイプＩＩ若しくはタイプＩＩＩの表面の一部に、例えばタイプＩの厚さに合わせた凹部が設けられている。アンテナ部は、カード基体の凹部に収納された第１の位置と、カード基体から突出する第２の位置との間で移動可能に取り付けられている。
【００２６】
例えばＰＣカードを利用した場合には、アンテナ部は、カード基体の両面にそれぞれ設けられた凹部に収納するために断面コ字状に形成される。アンテナ部には、当該アンテナ部を移動させるためのアンテナ移動機構が設けられている。情報処理装置のカードスロット（ＰＣカードスロット等）に無線通信カードを装着した状態でも、アンテナ部をカードスロットの外へ引き出して使用することができるようにする。以下、無線通信カードの具体例について詳細に説明する。
【００２７】
２．例１の無線通信カードの説明
本実施の形態の例１の無線通信カードについて図１乃至図６を用いて説明する。図１及び図２は、例１の無線通信カードの説明図である。図１は無線通信カードの斜視図であり、情報処理装置のカードスロットに装着した状態でアンテナ部７を外部へ引き出すための移動機構の図示は省略している。図２Ａは、図１に示す無線通信カードのＭ−Ｎ線で切断した断面図（Ｍ−Ｎ線断面図）であり、図２Ｂは図１に示すＯ−Ｐ線断面図である。また、図２Ｃは図１に示すＱ−Ｒ線断面図であり、図２Ｄは図２Ｃに示すＱ−Ｒ線断面図の一部（領域α）拡大図である。
【００２８】
（１）無線通信カードの基本的な説明
例１の無線通信カードは、ＰＣＭＣＩＡ規格のＰＣカード（以下、「無線通信用ＰＣカード」とも記す）を利用した例である。図１及び図２Ａ乃至図２Ｄに示すように、無線通信用ＰＣカード１は、無線通信ロジックを収納し、情報処理装置のＰＣカードスロットに装着可能なカード基体１００と、カード基体１００の表面に設けられたアンテナ部（平面型アンテナ）７とを有している。カード基体１００は、情報処理装置と電気的に接続されて各種情報の入出力を行うためのコネクタ４や、半導体部品を含む複数の電子部品が搭載された基板１５（図２Ａ参照）と、基板１５の表裏両面を覆う金属パネル５と、アンテナ部７を収納するための凹部６を備えている。
【００２９】
無線通信用ＰＣカード１の周辺部には、情報処理装置のＰＣカードスロット（図示せず）に装着するための肉薄部２が設けられている。両側の肉薄部２で挟まれた内側の部分が肉厚部３となっている。肉薄部２の厚さｄ１は３．３ｍｍであり、肉厚部３の厚さｄ２は例えば５ｍｍである。肉厚部３の長手方向の一方側には、コ字状の断面を有するアンテナ部７が設けられている。他方側には、情報処理装置の内部回路と電気的に接続するためのコネクタ４が設けられている。
【００３０】
アンテナ部７は、無線通信用ＰＣカード１を情報処理装置のＰＣカードスロットに装着した状態で、アンテナ移動機構により凹部６からスライドさせてＰＣカードスロットの外側に引き出すことができるようになっている。すなわち、アンテナ部７はアンテナ移動機構により図中Ｘ−Ｙ方向へ移動可能に構成されている。
【００３１】
アンテナ部７は、アンテナ導体を平面状のパターンとして形成したパターンアンテナ（平面型アンテナ）を例示している。アンテナ部７は、カード基体１００表裏面の少なくとも一面上に一枚の板状に形成することも可能である。なお、アンテナ導体は、アンテナ部７の表裏両面に形成してもよいが、片側（例えば表側）にのみ形成することも可能である。
【００３２】
また、アンテナ部７の高さ（厚さ）ｈは、ＰＣカードのタイプＩＩで規定された肉厚部３の厚さｄ２とほぼ同じ（ｈ＝ｄ２＝５ｍｍ）である。このため、情報処理装置のＰＣカードスロットに挿入可能であることは勿論のこと、既存のＰＣカードケースにも収納できる。
【００３３】
また、アンテナ部７をカード基体１００の凹部６に収納する場合、図２Ｃ及び図２Ｄに示すように、カード基体１００の凹部６の周辺部を長手方向に凹ませて形成された凹所を係止部２０として使用する。さらに、アンテナ部７の周辺部には、係止部２０に対応する位置にアンテナ係止部２１が形成されている。アンテナ部７をカード基体１００の凹部６に収納するときには、係止部２０にアンテナ部７のアンテナ係止部２１をスライド可能に係合させる。このようにアンテナ部７は、係止部２０とアンテナ係止部２１とを係合させた状態でスライドさせ、図中Ｘ−Ｙ方向に移動させることが可能になっている。
【００３４】
（２）アンテナ移動機構の説明
上記のように、アンテナ部７はカード基体１００に対して移動（スライド）可能である。本例の無線通信用ＰＣカード１は、情報処理装置のカードスロットに装着された状態で、アンテナ部７を外部に引き出したり、元の位置（凹部６）に収納したりすることができるアンテナ移動機構を有している。
【００３５】
次に、アンテナ移動機構の例について図３及び図４を用いて説明する。図３及び図４は、例１の無線通信カードのアンテナ移動機構の説明図である。図３は、アンテナ移動機構の一例を示している。図３に示すように、アンテナ部７の前面側（カードスロットに装着したとき、外部に面する部分）の一部には、例えば台形状に切り欠かれて形成されたアンテナ切り欠き部９が設けられている。これにより、アンテナ切り欠き部９に使用者の爪やその他の棒状の細い物体（例えば鉛筆の先端部、ボールペンの先端部）等を引っ掛けて、アンテナ部７をカード基体１００から外部へ引き出せるようになっている。また、引き出されたアンテナ部７の前面部の任意の位置を使用者がカード基体１００側へ押し込むことにより、アンテナ部７を元の位置に収納できるようになっている。
【００３６】
図４は、アンテナ移動機構の他の例を示している。図４に示すように、アンテナ部７は、アンテナ部７の一部が切り起こされて形成されたアンテナ突部１０と、ヒンジ機構（回転軸部材）１１とを有している。アンテナ突部１０は、ヒンジ機構１１を中心として図中Ｅ−Ｆ方向へ回動可能なようにアンテナ部７に取り付けられている。
【００３７】
アンテナ部７をカード基体１００から外部へ引き出すときには、使用者はアンテナ突部１０を図中Ｆ方向へ回動させ、その状態でアンテナ突部１０を指等で掴んで外部に引き出すようにする。また、引き出したアンテナ部７を元の位置へ戻すときには、使用者はアンテナ部７をカード基体１００側に押し込んで元の位置に収納し、アンテナ突部１０を図中Ｅ方向へ回動させて元の状態にする。
【００３８】
このように、アンテナ部７を外部へ引き出すことによりアンテナ部７を使用状態にすることができるが、アンテナ部７が常に移動自在（スライド自在）であると、アンテナ部７の位置が不安定になる。このため、アンテナ部７をカード基体１００に収納される第１の位置と、カード基体１００から突出する第２の位置とで停止させ、勝手に移動しないようにするためのクリックストップ機構を設け、アンテナ部７が不安定にならないようにしてもよい。
【００３９】
クリックストップ機構は周知の機構である。例えばアンテナ部が第１及び第２の位置にあるときに係合されるように、カード基体１００の凹部６表面とアンテナ部７の裏面側とのいずれか一方に凸部が設けられ、他方に凹部が設けられている。このようにすれば、アンテナ部７をカード基体１００に収納した第１の位置では、凹部と凸部とが係合して、アンテナ部７が停止する。また、アンテナ部７をカード基体１００から引き出して外部へ突出させた第２の位置では、他の位置にある凹部と凸部とが係合し、アンテナ部７が停止する。このような動作は、クリックストップ動作と呼ばれる。
【００４０】
なお、上記のようなアンテナ切り欠き部９やアンテナ突部１０の他、後述する起こし部１３（図９参照）やスライドイジェクトボタン３６（図１１参照）等のように、アンテナ部７の移動をスムーズに行うために設けた機構を操作部と称する。
【００４１】
（３）アンテナ部と基板との電気的な接続の説明
図５及び図６は、例１の無線通信カードの電気的接続の説明図である。図５はアンテナ部７と基板１５との間の電気的接続を実現する構成の一例を示している。図５に示すように、アンテナ部７と無線通信用ＰＣカード１の基板１５との間の電気的な接続を行うため、カード基体１００の凹部６には、凹部６の一部が切り抜かれた窓部８が設けられている。アンテナ部７と基板１５との間は、比較的柔軟性があり、かつアンテナ部７の移動に対応できるだけの長さを有するケーブル等（例えば、フレキシブルプリント基板（ＦＰＣ））により窓部８を通して接続される。
【００４２】
図６はアンテナ部７と基板１５との間の電気的接続を実現する構成の他の例を示している。図６に示すように、凹部６の周辺部には、弾性（あるいはばね性）を有する導体で構成された接点１６が設けられている。接点１６は、基板１５に電気的に接続されており、凹部６の表面から突出するように設けられている。接点１６の先端部は、アンテナ部７の裏面側に設けられたアンテナ導体と圧接されるようになっている。接点１６により、アンテナ部７と無線通信用ＰＣカード１の基板１５との間の電気的な接続が行われる。
【００４３】
アンテナ部７の裏面側には、接点１６と接触するアンテナ導体が、アンテナ部７の移動距離内で常に接触可能な長さだけ設けられている。接点１６とアンテナ導体との接触により、アンテナ部７が移動した場合でも、常にアンテナ部７と基板１５との電気的な接続が行われるようになっている。
【００４４】
なお、図６に示す例では接点１６が２つ設けられているが、アンテナ部７の裏面側のアンテナ導体が基板１５側と接続されていればよいため、接点１６は１つ以上設けられていればよい。また、接点１６が下面側の凹部６に設けられていてもよいことは言うまでもない。
【００４５】
さらに、アンテナ部７の裏面側に、クリックストップ機構を構成する凹部を設けるとともに、接点１６を凹部と係合するような位置に配置してもよい。これにより、アンテナ部７は接点１６と押圧されながら移動、係合することができ、クリックストップ動作が可能になる。また、アンテナ部７の裏面側に、凹部の代わりに凸部を設けて、接点１６の谷部と係合するようにしてクリックストップ動作を行うようにしてもよい。さらに、このクリックストップ機構により、アンテナ部７のカード基体１００からの脱落を防止することも可能になる。
【００４６】
また、アンテナ部７の裏面側に平面電極あるいは平面コイルを設け、図６の凹部６内に設けた対向平面電極あるいは対向平面コイルによって、アンテナ部７と無線通信用ＰＣカード１の基板との間の電気的な接続を行ってもよい。
【００４７】
アンテナ部７と基板１５との電気的な接続は、上記の例がそれぞれ単独で用いられてもよいし、２つ以上の例が組み合わされて用いられてもよいことは言うまでもない。
【００４８】
３．例２の無線通信カードの説明
次に、本実施の形態の例２の無線通信カードについて図７及び図８を用いて説明する。図７及び図８は、例２の無線通信カードの説明図である。図８Ａはカード基体１００の斜視図であり、図８Ｂはアンテナ部の断面図である。例１では、アンテナ部７として、比較的薄く形成できる平面型のパターンアンテナについて説明したが、アンテナ部７の感度を上げるためにチップアンテナが用いられることがある。例２の無線通信用ＰＣカード１は、アンテナ部７の一部にチップアンテナを用いた例である。
【００４９】
図７及び図８Ｂに示すように、アンテナ部７は、アンテナ部７の一部を肉厚にした肉厚部としてチップアンテナ収納部１２を有している。チップアンテナ収納部１２内部には、チップアンテナ１９が収納されている。
【００５０】
また、図８Ａに示すように、カード基体１００には、凹部６の一部を切り欠いた切り欠き部１８が形成されている。切り欠き部１８には、チップアンテナ収納部１２が収納できるようになっている。すなわち、切り欠き部１８の奥行きｄ３と、チップアンテナ収納部１２の長さｄ４とを略同じ（ｄ３≒ｄ４）にする。このようにすれば、チップアンテナ収納部１２を切り欠き部１８に収納することが可能になる。また、アンテナ部７にチップアンテナ１９を設けたことにより、例１に比べて高感度の無線通信を行うことが可能となる。
【００５１】
また、ノイズ又は電波特性を考慮してフィルタ等の電子部品をカード基体１００からなるべく遠ざけて配置させたい場合などには、フィルタ等の電子部品を肉厚部に収納することができる。
【００５２】
なお、例１で説明したアンテナ移動機構（図３に示すアンテナ切り欠き部９、アンテナ突部１０等）や、アンテナ部７の高さｈ等は、例２においても同様に適用できる。
【００５３】
４．例３の無線通信カードの説明
次に、本実施の形態の例３の無線通信カードについて図９及び図１０を用いて説明する。図９は、例３の無線通信カードの説明図である。図１０は、例３の無線通信カードの起こし部１３の説明図である。例３では、例１の無線通信用ＰＣカード１において、アンテナの感度調整が可能になっている。
【００５４】
本例では、アンテナ部７の一部が長方形状に切り起こされ、ヒンジ機構（回転軸部材）１４を中心として図中Ｇ−Ｈ方向に回動可能に構成された起こし部１３が設けられている。起こし部１３にはアンテナ導体が収納されている。起こし部１３を回動させることにより、アンテナの感度調整が可能になっている。
【００５５】
この場合、起こし部１３の内部にアンテナ導体を設けておき、残りのアンテナ部７にはアンテナ導体を設けなくてもよいし、設けておいてもよい。そして、起こし部１３の内部に設けたアンテナパターンと基板１５との接続は、図５又は図６に示す構成と同様の構成により実現する。
【００５６】
また、アンテナ部７の前面側には切り欠き部１７が設けられている。切り欠き部１７に使用者の指等（ボールペンの先端部等でも良い）を入れて、起こし部１３を上側へ持ち上げれば、起こし部１３が図中Ｇ−Ｈ方向に回動できるようになる。起こし部１３の角度を変化させることにより、アンテナ感度を容易に調整できる。
【００５７】
ところで、起こし部１３を図中Ｇ−Ｈ方向に回動することによりアンテナ感度が調整されるが、起こし部１３が調整後の位置から移動してしまうと、安定したアンテナ感度が得られなくなる。このため、起こし部１３がいたずらに回動してしまわないように保持する必要がある。
【００５８】
そこで、図１０に示すように、起こし部１３の一辺（カード基体１００側）には、ヒンジ機構１４として回転軸２５ａ、２５ｂが設けられている。回転軸２５ａ、２５ｂの両端側は、アンテナ部７側に回転可能な状態で取り付けられるようになっている。また、起こし部１３の一方の端部（回転軸２５ａ側）にはスリット２６が設けられている。スリット２６により幅狭部２７が形成されている。
【００５９】
この場合、起こし部１３をある程度の弾性を有する樹脂等により製作することにより、スリット２６により幅狭部２７が図中Ｔ−Ｓ方向に弾性を有するようになる。起こし部１３の幅は、アンテナ部７の開口部の幅より少し広く形成されている。起こし部１３をアンテナ部７に取り付けるときには、幅狭部２７を図１０のＳ方向へ圧縮するようにしながら取り付けられる。
【００６０】
このようにすれば、起こし部１３は、幅狭部２７の弾性により図中Ｓ−Ｔ方向へ押圧する力が働く状態となる。そのため、起こし部１３とアンテナ部７との間の摩擦力が大きくなり、起こし部１３は任意の位置で安定した状態に保持される。
【００６１】
また、起こし部１３には、起こし部１３に内蔵されたアンテナ導体やフィルタ等の電子部品に一端が接続されたＦＰＣ２８が取り付けられている。ＦＰＣ２８の他端は、カード基体１００内の基板１５に接続されている。
【００６２】
５．例４の無線通信カードの説明
次に、本実施の形態の例４の無線通信カードについて図１１乃至図１６を用いて説明する。例４は、ＣＦカード（以下、「無線通信用ＣＦカード」とも記す）を利用した例である。図１１は、例４の無線通信カードの説明図である。図１１に示すように、無線通信用ＣＦカード３０は、半導体部品やコネクタ３１が搭載された基板（図示せず）と、基板を保持するフレーム３４と、基板の裏面を覆う金属パネル３３と、アンテナ部３２と、アンテナ部３２を収納するための凹部３５と、スライドイジェクトボタン３６とを有している。凹部３５での厚さは、例えばＣＦカードのタイプＩの厚さ（３．３ｍｍ）とほぼ同じになっている。
【００６３】
図１２は、例４の無線通信カードのスライドイジェクトボタンの説明図である。図１２に示すように、スライドイジェクトボタン３６は、表面が凹凸となっている滑り止め部３７と、弾性体で構成さればねとして機能する弾性部３８と、アンテナ部３２を保持するためのアンテナ保持部３９とを備えている。
【００６４】
スライドイジェクトボタン３６は、弾性部３８の端部（図１２では左側）がカード基体１０２に固定して使用される。アンテナ部３２を保持しているときには、アンテナ保持部３９は弾性部３８の弾性力により図中Ｚ方向への力が加えられている。使用者が滑り止め部３７を図中Ｗ方向へ移動させると、アンテナ保持部３９により保持されていたアンテナ部３２は、解放されて図１１のＸ方向へ移動可能となる。
【００６５】
図１３は、例４の無線通信カードのカード基体１０２の説明図であり、アンテナ部３２を外した状態を示している。図１３に示すように、無線通信用ＣＦカード３０のカード基体１０２には、アンテナ部３２をスライド可能な状態で取り付けるための係止部４３がカード基体１０２の両端部に設けられている。係止部４３は、カード基体１０２の外側に溝４２をそれぞれ有している。溝４２は、アンテナ部３２のアンテナ係止部４１（図１３では図示せず）がスライド自在に係止できるようになっている。
【００６６】
また、図１３に示すように、カード基体１０２には、一方の係止部４３に一端が固定された棒状のばね４０が設けられている。アンテナ部３２が外部へ引き出されている状態（図１６参照）でばね４０が停止する位置には、ストッパー用凸部４４が設けられている。
【００６７】
したがって、アンテナ部３２がカード基体１０２から外部へ突出した状態では、ばね４０はストッパー用凸部４４に突き当たって停止している。アンテナ部３２がカード基体１０２に収納された状態（押し込められた状態）では、アンテナ部３２の裏面側に設けられている凸部４６（図１４及び図１５参照）がばね４０に突き当たり、凸部４６によりばね４０の開放端側が図１３のＦ方向へ押し込まれるようになっている。またアンテナ部３２は、スライドイジェクトボタン３６のアンテナ保持部３９により係止され、その状態で保持されるようになっている。そして、スライドイジェクトボタン３６の操作でアンテナ保持部３９を移動させることにより、アンテナ部３２が外部へ移動するように構成されている。
【００６８】
以下、アンテナ部３２の移動機構について、図１４乃至図１６を用いてさらに詳しく説明する。図１４及び図１５は、例４の無線通信カードのスライドイジェクトボタンの動作説明図である。また、図１６は例４の無線通信カードの使用状態の説明図である。図１４及び図１５では、パターンアンテナで構成されたアンテナ部３２と、カード基体１０２に取り付けられたスライドイジェクトボタン３６とを裏面側から見た構成を示している。スライドイジェクトボタン３６の裏側には、アンテナ部３２をカード基体１０２側へ押し込んだ位置で保持するためのアンテナ保持部３９が設けられている。なお、本例では、スライドイジェクトボタン３６を用いているが、スライドイジェクトボタン３６に代えてプッシュ式のイジェクトボタン等を用いてもよい。
【００６９】
アンテナ部３２の裏面には、アンテナ保持部３９に引っ掛けるための突起４５と、ばね４０を引っ掛けるための凸部４６が設けられている。図１１に示すように、アンテナ部３２をカード基体１０２側（図中Ｙ方向）に押し込むと、凸部４６がばね４０に引っ掛かり、ばね４０の開放端側を図１３のＦ方向へ回動させる。このとき、アンテナ部３２には、ばね４０の付勢力により、カード基体１０２から飛び出す方向（図中Ｘ方向）に力が働く。
【００７０】
しかし上記の状態では、アンテナ保持部３９が突起４５に引っ掛かる。そして、スライドイジェクトボタン３６の弾性部３８の弾性により、アンテナ保持部３９には図中Ｚ方向へ押圧する力が働き、突起４５をＺ方向へ押しつける。このようにしてアンテナ部３２はカード基体１０２から移動する（図中Ｘ方向へ突出する）ことなく、所定の収納位置（ホームポジション）で保持される。
【００７１】
上記の状態から、使用者の指等によりスライドイジェクトボタン３６の滑り止め部３７が図中Ｗ方向へ移動すると、図１５に示すように、アンテナ保持部３９が突起４５から離れる。このため、アンテナ部３２はばね４０の付勢力によりカード基体１０２から外部（図中Ｘ方向）へ移動（突出）し、図１６に示すような状態となる。この状態がアンテナ部３２の通常の使用状態になる。
【００７２】
その後、アンテナ部３２がアンテナ部３２の前面側（スライドイジェクトボタン３６のある側）からカード基体１０２側（図中Ｙ方向）に使用者により押し込まれると、再び図１４に示す状態になってアンテナ保持部３９が突起４５に引っ掛かり、アンテナ部３２が所定の収納位置で保持される。
【００７３】
なお、無線通信用ＣＦカード３０は、ＰＣカードより小さいため、情報処理装置のＰＣカードスロットに装着する場合は、ＰＣカードと同じ外形寸法を有するアダプタに、無線通信用ＣＦカード３０を装着し、無線通信用ＣＦカード３０のコネクタ３１とアダプタのコネクタとを電気的に接続した後、装着する必要がある。情報処理装置にＣＦカードスロットが設けられている場合には、無線通信用ＣＦカード３０をそのままＣＦカードスロットへ装着すればよい。
【００７４】
なお、アンテナ部３２と半導体部品やコネクタ３１が搭載された基板（図示せず）との電気的な接続や、クリックストップ機構、脱落防止などは例１と同様に行えることは言うまでもない。
【００７５】
６．その他の説明
本実施の形態の例１乃至例４について説明したアンテナ移動機構としては、上記の例に限らず、次のようにしても実施できる。
【００７６】
例えば、アンテナ移動機構としてプッシュプッシュ機構を用いてもよい。プッシュプッシュ機構は、例えば使用者によりプッシュ操作（押圧操作）が可能な操作部と、操作部に結合されたアクチュエータと、被操作物体を所定方向へ付勢するためのばね部材と、操作部の押圧操作に応じてアクチュエータを駆動し、アクチュエータの駆動により被操作物体に対する係合状態と非係合状態とが交互に切り換えられる切り換え機構とを備える。プッシュプッシュ機構は、被操作物体を所定方向へ移動させたり、元の位置へ戻したり（直線的な往復移動）することが可能になっている。
【００７７】
なお、プッシュプッシュ機構は、周知の機構（例えば、特開平８−２７７８７３号公報、特開平１１−１３５２０２号公報、実開平６−１３０７２号公報等を参照）であるので詳細な説明は省略する。
【００７８】
この場合、本実施の形態の各例の無線通信カードには、第１の押圧操作とこの操作に続く第２の押圧操作を繰り返すことで、アンテナ部をカード基体から外部へ突出させる動作と、アンテナ部をカード基体に収納する動作とを交互に行わせることが可能なプッシュプッシュ機構を設ける。
【００７９】
例えば、アンテナ部の前面側に、使用者により押圧操作が可能な操作ボタンを設けておき、操作ボタンの押圧操作に応じてアクチュエータを駆動することで、アンテナ部をカード基体から外部へ突出させたり、カード基体に収納したりすることが可能になる。
【００８０】
また、プッシュプッシュ機構の操作部を、本実施の形態のアンテナ部に結合、あるいは連動するように構成することも可能である。例えば、情報処理装置のカードスロットにアンテナ部を装着した状態で、カードスロットの外側に面するアンテナ部の一部を操作部として使用する。これにより、アンテナ部の一部（操作部として機能する部分）を押圧すると、アンテナ部がカード基体から外部に突出し、アンテナ部の一部をもう一度押圧すると、アンテナ部がカード基体に収納されるように動作させることが可能になる。
【００８１】
【発明の効果】
以上説明したように、本発明によれば次のような効果がある。
（１）無線通信カードの凹部６、３５での厚さを規格で定められた厚さとほぼ一致させているので、カード基体１００、１０２内における基板や部品、配線パターン等の配置が限定されてしまうことがない。また、インターフェースコネクタを中心に配置できるため、情報処理装置の既存のカードスロットへ装着して使用することができる。
【００８２】
（２）アンテナ部７が略コ字状に形成されているため、高い機械的強度を有し、破損する可能性が少ない。
【００８３】
（３）カード基体１００、１０２表裏面の少なくとも一部に、板状のアンテナ部７、３２が配置されている。このため、アンテナ部７、３２が配置されていない領域のカード基体１００、１０２内には、高さの高い部品を配置することができ、部品等の配置が限定されることがない。その結果、無線通信カードの設計が容易になる。
【００８４】
（４）回転軸部材（例えば、ヒンジ機構１１）を中心として回動可能に構成されたアンテナ突部１０により、カード基体１００に対するアンテナ部７の移動が可能になっている。すなわち、アンテナ突部１０を外側へ回動させ、アンテナ突部１０を使用者の手で掴んでアンテナ部７を引き出すことができる。このため、情報処理装置のカードスロットに無線通信カードを装着してからでも、容易にアンテナ部７をカード基体１００からスライドさせ、カードスロットの外へ引き出して使用することができる。したがって、使用上の手間がかからない。
【００８５】
（５）アンテナ部７の一部を肉厚とした肉厚部が設けられ、肉厚部に電子部品を収納できるようになっている。このため、パターンアンテナに比べて感度の高いチップアンテナを肉厚部に収納できる。また、ノイズ又は電波特性を考慮してフィルタ等の電子部品をカード基体１００からなるべく遠ざけたい場合は、フィルタ等の電子部品を肉厚部に収納できる。
【００８６】
（６）起こし部１３にアンテナ導体が収納され、起こし部１３の回動操作によりアンテナの感度調整が可能になっている。したがって、常に良好な受信感度で無線通信を行うことが可能になる。
【００８７】
（７）アンテナ部７は、弾性部材の押圧によりカード基体１００に収納された第１の位置から、カード基体１００から突出させた第２の位置へ移動可能になっている。したがって、容易にアンテナ部７をカードスロットの外へ移動させることが可能であり、余計な手間がかからない。
【００８８】
（８）カード基体１０２は、アンテナ部３２を所定位置に保持させるためのアンテナ保持部３９及びスライドイジェクトボタン３６を備えている。したがって、スライドイジェクトボタン３６の操作だけでアンテナ部３２をカードスロットの外へ移動させることが可能であり、余計な手間がかからない。
【００８９】
（９）プッシュプッシュ機構を利用すれば、単に押圧操作を繰り返すだけでアンテナ部７、３２をカードスロットから外部へ突出させたり、カード基体１００、１０２の所定の位置へ収納させたりすることが可能であり、余計な手間がかからない。
【図面の簡単な説明】
【図１】本発明の実施の形態の例１による無線通信カードの説明図である。
【図２】本発明の実施の形態の例１による無線通信カードの説明図である。
【図３】本発明の実施の形態の例１による無線通信カードのアンテナ移動機構の説明図である。
【図４】本発明の実施の形態の例１による無線通信カードのアンテナ移動機構の説明図である。
【図５】本発明の実施の形態の例１による無線通信カードの電気的接続の説明図である。
【図６】本発明の実施の形態の例１による無線通信カードの電気的接続の説明図である。
【図７】本発明の実施の形態の例２による無線通信カードの説明図である。
【図８】本発明の実施の形態の例２による無線通信カードの説明図である。
【図９】本発明の実施の形態の例３による無線通信カードの説明図である。
【図１０】本発明の実施の形態の例３による無線通信カードの起こし部の明図である。
【図１１】本発明の実施の形態の例４による無線通信カードの説明図である。
【図１２】本発明の実施の形態の例４による無線通信カードのスライドイジェクトボタンの説明図である。
【図１３】本発明の実施の形態の例４による無線通信カードのカード基体の説明図である。
【図１４】本発明の実施の形態の例４による無線通信カードのスライドイジェクトボタンの動作説明図である。
【図１５】本発明の実施の形態の例４による無線通信カードのスライドイジェクトボタンの動作説明図である。
【図１６】本発明の実施の形態の例４による無線通信カードの使用状態の説明図である。
【図１７】従来例の説明図である。
【符号の説明】
１  無線通信用ＰＣカード
２  肉薄部
３  肉厚部
４  コネクタ
５、３３  金属パネル
６、３５  凹部
７、３２  アンテナ部
８  窓部
９  アンテナ切り欠き部
１０  アンテナ突部
１１、１４  ヒンジ機構
１２  チップアンテナ収納部
１３  起こし部
１５  基板
１６  接点部
１７、１８  切り欠き部
１９  チップアンテナ
２０、４３  係止部
２１、４１  アンテナ係止部
２５  回転軸
２６  スリット
２７  幅狭部
２８  ＦＰＣ
３０  無線通信用ＣＦカード
３１  コネクタ部
３４  フレーム
３６  スライドイジェクトボタン
３７  滑り止め部
３８  弾性部
３９  アンテナ保持部
４０  ばね
４２  溝
４４  ストッパー用凸部
４５  突起
４６  凸部
５１  パーソナルコンピュータ
５２  液晶表示部
５３  ＰＣカードスロット
５４  ＰＣカード
５５  アンテナ収納部
５６  無線通信用送受信アンテナ
１００、１０２  カード基体
【図１】
0003689382.tif 000002
【図２】
0003689382.tif 000003
【図３】
0003689382.tif 000004
【図４】
0003689382.tif 000005
【図５】
0003689382.tif 000006
【図６】
0003689382.tif 000007
【図７】
0003689382.tif 000008
【図８】
0003689382.tif 000009
【図９】
0003689382.tif 000010
【図１０】
0003689382.tif 000011
【図１１】
0003689382.tif 000012
【図１２】
0003689382.tif 000013
【図１３】
0003689382.tif 000014
【図１４】
0003689382.tif 000015
【図１５】
0003689382.tif 000016
【図１６】
0003689382.tif 000017
【図１７】
0003689382.tif 000018